(57)【要約】【課題】  従来のオットマンはレール上を移動するものであるから椅子に対して垂直な方向にしか移動できないため、オットマンを椅子から左右方向にずらした位置にセットすることができず、理美容用のオットマンとしては使用勝手が悪いといった問題があった。【解決手段】  床面に対して移動可能に形成された基台部１と、該基台部に対して上下動可能に取付けられた台座部２とからなる本体と、前記基台部の一側面側から突出されたステップ３とから構成した多機能台である。【選択図】        図４
2008080054.tif 000002
【特許請求の範囲】
【請求項１】
床面に対して移動可能に形成された基台部と、該基台部に対して上下動可能に取付けられた台座部とからなる本体と、前記基台部の一側面側から突出されたステップとから構成したことを特徴とする多機能台。
【請求項２】
前記基台部の前記ステップが取付けられた一側面と対向する他側面の底面にキャスターが取付けられていることを特徴とする請求項１記載の多機能台。
【請求項３】
前記台座部が前記基台部に対して傾斜可能に取付けられていることを特徴とする請求項１記載の多機能台。
【請求項４】
オットマンとして使用するに際して、椅子の座部裏面側に空間を設け、該空間に対して少なくとも前記本体が収容可能な大きさに形成されていることを特徴とする請求項１記載の多機能台。
【発明の詳細な説明】
【技術分野】
【０００１】
本発明は、オットマンあるいはスツールとして使用可能、例えば、理美容用椅子に着座している被施術者が脚を載せる時のオットマンとして使用し、あるいは、施術者が施術時に着座して作業を行う時のスツールとして使用できる多機能台に関する。
【背景技術】
【０００２】
従来における家庭で使用するオットマンとしては、背凭れの無い椅子状のものが一般的であるが、単に、背凭れが伏倒する椅子とオットマンとの組み合わせであった。また、車両等のオットマンとしては、例えば、特開平９−２０６１５７号公報や特開平１１−１３７３６８号公報の発明がある。
【０００３】
前者の公報の発明は、座部の下面にオットマンを揺動自在に取付けたものであり、オットマンを水平方向に回動した状態で脚を載せるものである。また、後者の公報の発明は、前席と後席との間に収納部を有するオットマンをガイドレールに沿って移動可能となし、後席に着座している乗客が脚を載せる場合に後席側に移動した状態で脚を載せるものである。
【特許文献１】特開平０９−２０６１５７号公報
【特許文献２】特開平１１−１３７３６８号公報
【発明の開示】
【発明が解決しようとする課題】
【０００４】
ところで、前者の公報の発明にあっては、オットマンを揺動させるための駆動源が必要になると共に揺動させるためのリンク機構が複雑となりコストが高くなり、かつ、オットマンは座部の前方において起伏するのみであるため、脚の長い乗客にあっては、脹ら脛部分を支持することになるため長時間同じ姿勢を保った場合には脚が痺れるといった問題があった。
【０００５】
また、後者の公報の発明にあっては、前記した前者の発明に対してオットマンを前後動可能として身長の高低に関係なく脚の所望位置を支持することが可能なように構成されているが、レール上を移動するものであるから椅子に対して垂直な方向にしか移動できないため、オットマンを椅子から左右方向にずらした位置にセットすることができず、理美容用のオットマンとしては使用勝手が悪いといった問題があった。
【０００６】
本発明は前記した問題点を解決せんとするもので、その目的とするところは、脚を載せたり着座するための台座部の高さ調整が行え、また、移動可能として所望の位置に移動して使用でき、さらに、ステップに足先を載せることができるようにした多機能台を提供せんとするにある。
【課題を解決するための手段】
【０００７】
本発明に係る多機能台は前記した目的を達成せんとするもので、請求項１の手段は、床面に対して移動可能に形成された基台部と、該基台部に対して上下動可能に取付けられた台座部とからなる本体と、前記基台部の一側面側から突出されたステップとから構成したものである。
【０００８】
請求項２の手段は、前記した請求項１において、前記基台部の前記ステップが取付けられた一側面と対向する他側面の底面にキャスターが取付けられていることを特徴とする。
【０００９】
請求項３の手段は、前記した請求項１において、前記台座部が前記基台部に対して傾斜可能に取付けられていることを特徴とする。
【００１０】
請求項４の手段は、前記した請求項１において、オットマンとして使用するに際して、椅子の座部裏面側に空間を設け、該空間に対して少なくとも前記本体が収容可能な大きさに形成されていることを特徴とする。
【発明の効果】
【００１１】
本発明は前記したように、床面に対して移動可能に形成された基台部と、該基台部に対して上下動可能に取付けられた台座部とからなる本体と、前記基台部の一側面側から突出されたステップとから構成したことにより、理美容用のオットマンとして使用した場合に、理美容椅子に着座している被施術者の低身長者であっても高身長者であっても、脚の高さ位置を自由に設定でき、従って、被施術者がリラックス状態で洗髪等の施術を受けることができ、また、ステップを利用して椅子に着座することができるので、子供や高齢者であっても容易に着座することが可能となり、さらに、スツールとして利用した場合には、施術時に施術者が着座した状態で行えるので、施術者に疲労を与えることがない。
【００１２】
また、基台部の前記ステップが取付けられた一側面と対向する側面の底面にキャスターが取付けられていることから、多機能台の移動時にステップを持って移動することができるので、多機能台の移動を簡単に行うことができる。
【００１３】
さらに、台座部が基台部に対して傾斜可能に取付けられていることにより、脚を載せた状態において、よりリラックスな状態を維持することが可能となり、また、オットマンとして使用した場合において、椅子の座部裏面側に形成した空間内に収容可能な大きさとしたので、不使用時には前記椅子内に収容しておくことで、多機能台が邪魔になることがない等の効果を有するものである。
【発明を実施するための最良の形態】
【００１４】
本発明は、基台部を床面に対して移動可能となし、かつ、台座部の高さを基台部に対して変更可能とし、さらに、前記基台部にステップを取付けた多機能台である。
【実施例１】
【００１５】
以下、本発明に係る多機能台を理美容用のオットマンとして使用した場合の一実施例を図面と共に説明する。
Ａは図１に示すように、被施術者を着座させた状態において公報に位置する洗髪装置Ｂによってバックシャンプーを行う時に使用する等の理美容椅子にして、背凭れＡ１が起伏すると共に座部Ａ２が背凭れＡ１が伏倒する方向に傾斜すると前進するように構成されている。なお、このような椅子は公知であるので、その詳細については説明を省略する。そして、理美容椅子Ａの座部Ａ２の下面側には本発明のオットマンＣを収容するための空間Ｇが形成されている。
【００１６】
次に、本発明のオットマンＣの構造について説明するに、オットマンＣは基台部１と、該基台部１に対して上下動可能で、かつ、特定の高さ位置で固定可能な構造となっている台座部２と、前記基台部１の一側面から突出して取付けられたステップ３とから構成されている。
【００１７】
次に、基台部１１の詳細について説明するに、基台部１の底面板１１における前記ステップ３が取付けられた側面とは反対側に近い面には２個のキャスター１２が取付けられ、また、ステップ３側に近い面には硬質ゴム等の摩擦抵抗の大きな脚部１３が複数個（図示では３個）が取付けられている。従って、基台部１を移動する時にはステップ３を持って脚部１３を浮かした状態で移動することで、キャスター１２によって移動がスムーズに行え、また、床面に置いた状態では脚部１３の摩擦抵抗によって停止状態が保持されるように構成されている。
【００１８】
また、基台部１の両側面板１４には一対の垂直孔１５ａと、該垂直孔１５ａの上端において下方に向かって折曲されたロック孔１５ｂを有するガイド孔１５が形成されている。なお、基台部１の下部外周にはカバー１６が取付けられ、外部から内部が見えないように覆われている。
【００１９】
次に、台座部２の詳細について説明するに、該台座部２は脚載せシート２１と、該脚載せシート２１の４隅に上端が固定された脚杆２２とから構成されている。なお、脚載せシート２１は、後に詳述するステップ３が取付けられている側が高くなるように床面に対して傾斜した状態に形成されている。このような傾斜面にすることによって、被施術者が脚を載せた場合に足先が低い位置となるので楽な状態となる。
【００２０】
そして、前記脚杆２２の下端には前記基台部１の側面板１４に形成されているガイド孔１５に挿入されるガイドピン２２ａが取付けられている。従って、脚載せシート２１はガイドピン２２ａがガイド孔１５の垂直孔１５ａの位置においては、上下方向に移動自在であり、また、ガイド孔１５のロック孔１５ｂに入り込むことで下降が停止するものである。なお、前記した説明において、ガイド孔１５のロック孔１５ｂは垂直孔１５ａの上端に１個が形成されているものについて説明したが、ロック孔１５ｂは垂直孔１５ａに対して複数個形成して、足載せシート２１を数段回の高さ位置で固定できるようにしてもよい。
【００２１】
次に、ステップ３の詳細について説明するに、前記基台部１の底板１１に一端がネジ止め固定され、他端が平面視においてコの字状に形成された足載せパイプ３１と、該足載せパイプ３１のコの字状側先端部分に垂下状態で取付けられた脚パイプ３２と、該脚パイプ３２の下面側に取付けられたゴム等による２個の滑り止め３３とから構成されている。
【００２２】
このように構成したオットマンＣにあっては、基台部１に対して足載せ部２を低くした状態において、理美容椅子Ａの空間Ｇ内にステップ３が空間Ｇから露出する方向で収納することで、基台部１と足載せ部２は理美容椅子Ａの空間内に収容される（図２参照）。この状態において被施術者が理美容椅子Ａに着座するときにはステップ３に足を載せて体重移動することで容易に着座することができる。
【００２３】
また、洗髪等の施術を行う場合には、ステップ３を施術者が手で持って空間Ｇから引出し、かつ、被施術者の座高に応じて理美容椅子Ａからの間隔を調整した位置に設置することで、被施術者は脚を脚載せシート２１に載せることでリラックス状態で施術を受けることができる。なお、図５にはステップ３と反対側の基台１にＴ字状のペダル５が記載されているが、このペダル５は被施術者が理美容椅子に着座し台座部２に脚を載せた状態で移動した方が被施術者の脚にフィットするような場合に、施術者が前記ペダル５を踏み込んでステップ３側を浮かせてキャスター１２を利用して移動する等の場合に使用するものである。
【００２４】
前記した実施例にあっては、台座部２を基台部１のガイド孔１５に対してガイドピン２２ａが上下動し、かつ、ガイドピン２２ａがロック孔１５ｂに入り込むことで高さ調整をするようにした場合について説明したが、図１０に示すように公知のガスシリンダ４を使用し、解除ハンドル４１を操作することで台座部２を上昇させ、また、解除ハンドル４１を操作し被施術者の脚の重量で下降させるようにしたもよい。さらに、基台部１に対する台座部２の上下動および固定は、公知の手段であるＸリンクとネジ棒との組み合わせ等、各種の上下動および固定手段を応用することができる。
【００２５】
また、前記した実施例にあっては、脚載せシート２１を予め所望の傾斜角度で形成した場合について説明したが、身長の高い人と低い人では傾斜角度を変えることが望ましい。このように傾斜角度を変更する手段として、図１１，１２に示すように、前記した実施例における脚杆２２の上端に回動自在なストッパーリンク２３ａを有する補助枠２３を取付け、かつ、該補助枠２３の一側に脚載せシート２１を回動自在に取付けると共に脚載せシート２１の裏面に前記ストッパーリンク２３ａと係合可能な複数の係合歯２４ａを有する係合板２４を取付ける。
【００２６】
このように構成することで、脚載せシート２１を補助枠２３に対して所望の角度位置に回動した状態で、ストッパーリンク２３ａを係合板２４の係合歯２４ａを係合することで、所望の傾斜角度で固定することができる。また、脚載せシート２１の傾斜角度を変更する手段としては、公知の各種機構を応用することが可能である。図１０〜図１２の図面にはステップ３の記載がないが、図面の要部のみを示すために書略して記載した。
【００２７】
なお、前記した実施例にあっては、多機能台をオットマンとして使用した場合について説明したが、施術者等の人間が着座するためのスツールとして使用することも可能である。例えば、理美容院においては、メイク、フェイシャルやネイル等を施術する際に、施術者は洗髪場所とは別の場所にある椅子に被施術者を誘導して座らせ、施術者は近くにあるスツールに座って施術を行っていた。そのために被施術者と施術者は洗髪場所から他の場所まで移動する必要があるが、前記した椅子の下部に収容されている多機能台をスツールとして使用することで、両者は洗髪した椅子を利用して前記した施術を行えるので、他の場所に移動するといった面倒な行動を採らなくてもよいことになる。
【図面の簡単な説明】
【００２８】
【図１】本発明に係る多機能台を理美容用のオットマンして使用している状態を示す側面図である。
【図２】理美容椅子内に多機能台を収容した状態を示す側面図である。
【図３】同上の正面図である。
【図４】多機能台の斜視図である。
【図５】同上のカバーを外した状態の側面図である。
【図６】図４の底面図である。
【図７】脚載せシートを断面した状態の正面図である。
【図８】脚載せシートを下げた状態の斜視図である。
【図９】同上の正面図である。
【図１０】台座部を上下動させるための他の実施例を示す側面図である。
【図１１】脚載せシートの傾斜角度を変更するための構造を示す断面図である。
【図１２】同上の台座部を上昇させると共に脚載せシートを傾斜させた状態の断面図である。
【符号の説明】
【００２９】
Ａ          理美容椅子
Ｃ          多機能台
１          基台部
２          台座部
３          ステップ
【図１】
2008080054.tif 000003
【図２】
2008080054.tif 000004
【図３】
2008080054.tif 000005
【図４】
2008080054.tif 000006
【図５】
2008080054.tif 000007
【図６】
2008080054.tif 000008
【図７】
2008080054.tif 000009
【図８】
2008080054.tif 000010
【図９】
2008080054.tif 000011
【図１０】
2008080054.tif 000012
【図１１】
2008080054.tif 000013
【図１２】
2008080054.tif 000014